(57)【要約】【課題】  ポンプから他の機能部品へエアー供給ホースを介して流体を案内する際、他の機能部品への振動の伝達防止及びこれに起因する騒音の防止を図ったポンプの振動伝達防止構造を提供する。【解決手段】  ポンプの流体吐出口２１から吐出される流体を他の機能部品に案内する流体案内管３８が設けられ、このエアー供給ホース３８の一部の肉厚ｔを他の部分３８ｂの肉厚Ｔよりも部分的に薄く形成した振動吸収部３９が前記流体案内管３８に設けられている。【選択図】                図４
2006046278.tif 000002
【特許請求の範囲】
【請求項１】
ポンプの流体吐出口から吐出される流体を他の機能部品に案内する流体案内管が設けられ、この流体案内管の一部の肉厚を他の部分の肉厚よりも部分的に薄く形成した振動吸収部が前記流体案内管に設けられていることを特徴とするポンプの振動伝達防止構造。
【請求項２】
前記流体案内管には前記振動吸収部が複数設けられていることを特徴とする請求項１に記載のポンプの振動伝達防止構造。
【請求項３】
前記流体案内管の振動吸収部は、前記流体案内管の内径を一定にすると共に前記流体案内管の一部の外径を他の部分の外径よりも部分的に小さくすることにより形成されていることを特徴とする請求項１又は２に記載のポンプの振動伝達防止構造。
【請求項４】
前記ポンプを覆うポンプカバー内に前記振動吸収部が配設されていることを特徴とする請求項１〜３の何れか１項に記載のポンプの振動伝達防止構造。
【発明の詳細な説明】
【技術分野】
【０００１】
本発明は、ポンプから吐出される流体を他の機能部品に案内させる流体案内管に生じる振動及びこれにより発生する騒音の防止を図ったポンプの振動伝達防止構造に関するものである。
【背景技術】
【０００２】
従来、例えば、エアーマッサージ等に用いられるエアー供給制御ユニットとしては、図７〜図１０に示したものがある。
【０００３】
図７及び図８において、エアー供給制御ユニット１は、上ケース２と下ケース３とからなるユニットケース４を有しており、このユニットケース４内にはエアー給排装置５が配設されている。このエアー給排装置５は、電磁式ポンプ６（例えば、特許文献１参照）とロータリーバルブ７とを有している。
【０００４】
電磁式ポンプ６は、図８に示すように４つの防振ゴムからなる緩衝部材８を介して下ケース３に取り付けられている。この緩衝部材８は、材料である防振ゴムの弾性及びその形状により振動を減衰させて下ケース３に伝わる振動を抑制する働きをしている。
【０００５】
また、電磁式ポンプ６は、上ケース９及び下ケース１０からなる遮音用のポンプカバー１１により覆われている。なお、符号１２は回路基板を示しており、この回路基板１２にはエアー給排装置５を制御する制御回路（図示せず）が設けられている。電磁式ポンプ６内の図示しない電磁駆動手段により圧縮された圧縮空気は、流体案内管としてのエアー供給ホース（排気管）１３を介してロータリーバルブ７に供給されている。
【０００６】
なお、前記エアー供給ホース１３はポンプカバー１１の図示しない貫通口を貫通してロータリーバルブ７に接続されているが、ポンプカバー１１内の騒音が外部に漏れないようにするために、エアー供給ホース１３と前記貫通口とは密接した状態にある。
【０００７】
ロータリーバルブ７には、複数の給排気ノズル１４からなるエアーホース接続部１５が設けられており、この給排気ノズル１４は図示しないエアーマットの複数のエアーバッグ（図示せず）にそれぞれ接続されていて、このエアーバッグに対して圧縮空気を供給し、又はエアーバッグのエアーを排気している。
【０００８】
図９及び図１０は上記エアー供給ホース１３の詳細を示している。このエアー供給ホース１３はゴム等の弾性材からなっていて、フレーム１６ａとの接合部１７を除いてエアー供給ホース１３の肉厚は一定の形状からなっている。フレーム１６ａは図７及び図８に示す電磁式ポンプ６に設けられている排気タンク１８の一部分を形成している。
【０００９】
図９のフレーム１６ａはアルミダイカストからなっている。エアー供給ホース１３の端部１３ａには間隙をもって１対の係止環１９，２０が設けられている。フレーム１６ａに設けられた穴２１内にエアー供給ホース１３の端部１３ａを嵌合させると共に係止環１９，２０により抜け止めさせることによりエアー供給ホース１３はフレーム１６ａに接合されている。
【００１０】
また、図１０におけるフレーム１６ｂはプラスチック製の材料からなっており、このフレーム１６ｂも図９のフレーム１６ａと同様に電磁式ポンプ６（図７参照）の排気タンク１８の一部を形成している。フレーム１６ｂには穴２１を有する突起２２が設けられていて接合部１７を形成している。この突起２２にエアー供給ホース１３の端部１３ａを拡開して嵌合させることによりエアー供給ホース１３はフレーム１６ｂに接続されている。
【００１１】
このように、電磁式ポンプ６（図７参照）の排気タンク１８の一部を形成するフレーム１６ａ又は１６ｂにエアー供給ホース１３を接続させることにより、エアー供給ホース１３は電磁式ポンプ６から排出される圧縮空気を他の機能部品、すなわち図７におけるロータリーバルブ７に導くエアー案内通路２３（エアー供給通路）が形成されている。
【特許文献１】特開平１１−３２４９２９号公報
【発明の開示】
【発明が解決しようとする課題】
【００１２】
しかしながら、上述した従来のエアー供給制御ユニット１においては、例えば、図７、図８に示す電磁式ポンプ６から他の機能部品であるロータリーバルブ７へ圧縮空気を搬送するエアー供給ホース１３から伝達される振動及びこれに起因する騒音は防止できない問題があった。
【００１３】
すなわち、図７及び図８における電磁式ポンプ６は、緩衝部材８により下ケース３に対して防振されているが、電磁式ポンプ６自身の振動が抑制されていない。
【００１４】
したがって、電磁式ポンプ６からロータリーバルブ７へ圧縮空気を搬送させるときに、電磁式ポンプ６の振動がエアー供給ホース１３を介してロータリーバルブ７に伝達されてロータリーバルブ７の振動及びこれに起因する騒音が生じる問題があった。特に、ロータリーバルブ７の作動に伴う振動とエアー供給ホース１３からの振動とが強振した場合には騒音が大きくなる問題があった。
【００１５】
また、エアー供給ホース１３はポンプカバー１１に設けられた貫通口に密接して貫通しているために、エアー供給ホース１３の振動は前述のようにロータリーバルブ７に伝達される他にポンプカバー１１にも伝達されてポンプカバー１１がビビリ音を生じる虞があった。
【００１６】
本発明は、ポンプから他の機能部品へ流体案内管を介して流体を案内する際、他の機能部品への振動の伝達防止及びこれに起因する騒音の防止を図ったポンプの振動伝達防止構造を提供することを目的とするものである。
【課題を解決するための手段】
【００１７】
本発明は、上述事情に鑑みなされたものであって、請求項１に記載の発明は、ポンプの流体吐出口から吐出される流体を他の機能部品に案内する流体案内管が設けられ、前記流体案内管の肉厚の一部を他の部分の肉厚よりも部分的に薄く形成した振動吸収部が前記流体案内管に設けられていることを特徴としている。
【発明の効果】
【００１８】
請求項１に係わる発明によれば、ポンプから他の機能部品へ流体を搬送する流体案内管に、前記流体案内管の一部の肉厚が他の部分の肉厚よりも薄い振動吸収部を設けたので、ポンプからの振動を振動吸収部により吸収できると共に、ポンプの振動が流体案内管を課して他の機能部品に伝達する現象及びこれに起因する騒音の発生を防止することができる。
【発明を実施するための最良の形態】
【００１９】
以下、本発明の実施の形態を図面に基づいて説明する。なお、図７〜図１０に示したものと同じ意味のものは同一符号を付してその説明は省略する。
【実施例１】
【００２０】
図１は本発明に係わるポンプの振動伝達防止構造が適用されたマット形式のエアーマッサージ装置３０を示している。このエアーマッサージ装置３０は、複数のエアーバッグ（図示せず）を内蔵したマット３１と、このマット３１にエアーを供給するエアー供給制御ユニット３２とを備えている。
【００２１】
エアー供給制御ユニット３２は、前面に操作部３３を有すると共に、エアー給排装置５を内蔵している。また、マット３１及びエアー供給制御ユニット３２は、エアーホース３６両端に設けられた接続部３４ａ，３４ｂを、マット３１の接続部３５ａ及びエアー供給制御ユニット３２の接続部３５ｂにそれぞれ係合させることにより接続されている。
【００２２】
図２は前記エアー供給制御ユニット３２の縦断した正面図、図３は図２におけるＡ−Ａ線断面図をそれぞれ示している。
【００２３】
図２及び図３において、エアー給排装置５の電磁式ポンプ６のフレーム１６ａ（図４参照）には、流体吐出口としての穴２１が設けられている。この穴２１には流体としての圧縮空気を他の機能部品、すなわちロータリーバルブ７に案内するためのエアー供給ホース（流体案内管）３８が接続されている。
【００２４】
なお、図２及び図３に示す電磁式ポンプ６は、図示しないダイヤフラムを電磁駆動手段により振動させて圧縮空気を吐出する周知の電磁式ポンプであって、その内部の詳細は省略することにする。
【００２５】
エアー供給ホース３８の端部３８ａは、この端部３８ａを穴２１に嵌合させると共に係止環１９，２０により抜け止めすることによりフレーム１６ａに接続されている。このフレーム１６ａは、アルミダイカストからなっていて、電磁式ポンプ６（図２参照）の排気タンク１８を形成しているものである。
【００２６】
電磁式ポンプ６から圧縮空気が送られたロータリーバルブ７は、給排気ノズル１４の一つのノズル１４に圧縮空気を分散（分配）し、このノズル１４に接続されたエアーホース３６（図１参照）を介してマット３１のエアーバッグ（図示せず）に供給する。そして、その他の給排気ノズル１４に接続されているエアーバッグは排気状態としている。
【００２７】
次に、前記エアー供給ホース３８の詳細を図４に基づいて説明する。
【００２８】
エアー供給ホース３８には、振動吸収部３９が形成されており、この振動吸収部３９の肉厚ｔは、エアー供給ホース３８の振動吸収部３９以外の他の部分３８ｂの肉厚Ｔよりも薄くなるように形成されている。
【００２９】
また、振動吸収部３９は、エアー供給ホース３８の内径ｄを一定にすると共に、外径Ｄ１をエアー供給ホース３８の他の部分３８ｂの外径Ｄよりも小さくすることにより形成されている。
【００３０】
これにより、エアー供給ホース３８に振動吸収部３９を形成しても、圧縮空気がエアー案内通路２３を流れる動作に支障が生じないようになっている。
【００３１】
さらに、上記振動吸収部３９は、電磁式ポンプ６を覆っているポンプカバー１１の内側に配設されていることが好ましい。振動吸収部３９をポンプカバー１１内に設けることで、エアー供給ホース３８の振動吸収部３９における振動の減衰時に生じる振動音が外部にもれるのを防止することができて、消音効果を実現することができる。
【００３２】
このように、電磁式ポンプ６から圧縮空気をロータリーバルブ７に案内するエアー供給ホース３８に振動吸収部３９を設けることで、電磁式ポンプ６から生成されている振動がエアー供給ホース３８の振動吸収部３９により吸収される。
【００３３】
これにより、電磁式ポンプ６の振動が、エアー供給ホース３８を介してロータリーバルブ７に伝達する現象、及びエアー供給ホース１３と密接しているポンプカバー１１に伝達する現象、ならびに、これに起因する騒音の発生をより確実に防止することができる。
【実施例２】
【００３４】
次に、本発明のポンプの振動伝達防止構造に係わるエアー供給ホース３８を図５に示す。図５におけるエアー供給ホース３８は、その端部３８ａがプラスチック製の材料からなるフレーム１６ｂに接合部１７で接合されている。
【００３５】
すなわち、エアー供給ホース３８の端部３８ａは、この端部３８ａを拡開してフレーム１６ｂに設けられている突起２２に嵌合させることにより接合されている。このエアー供給ホース３８にも実施例１と同様の振動吸収部３９が設けられている。
【００３６】
エアー供給ホース３８の端部３８ａが拡開して突起２２に接続されているので、実施例１と同様にエアー供給ホース３８には振動が伝達されるが、エアー供給ホース３８に振動吸収部３９を設けたことにより、エアー供給ホース３８の接合部１７からエアー供給ホース３８に伝達する振動は、振動吸収部３９によって吸収されて、ロータリーバルブ７への振動の伝達及びこれに起因する騒音の発生を防止することができる。
【実施例３】
【００３７】
図６は本発明のポンプの振動伝達防止構造に係わるエアー供給ホース３８を示している。図６におけるエアー供給ホース３８の端部３８ａは、実施例２と同様にプラスチック製のフレーム１６ｂに接合部１７において接合されている。
【００３８】
本実施例におけるエアー供給ホース３８には、実施例１，２と同様の振動吸収部３９が複数（本例では二つ）設けられている。このように、複数の振動吸収部３９，３９をエアー供給ホース３８に設けることにより、エアー供給ホース３８から伝達される振動をより確実に減衰させて、ロータリーバルブ７への振動の伝達及びこれに起因する騒音の発生を防止することができる。
【００３９】
この場合、両振動吸収部３９，３９の間隔は、エアー供給ホース３８の断面形状や材質等に応じて適宜選択してエアー供給ホース３８を伝達する振動が減衰し易い位置に配設することが好ましい。
【００４０】
なお、複数の振動吸収部３９，３９を設けたエアー供給ホース３８は、その接合部１７がフレーム１６ｂの突起２２に端部３８ａを嵌合させた構造からなっているが、これに限らず実施例１に示した接合部１７のように係止環１９，２０により抜け止めした端部３８ａを有するエアー供給ホース３８にも適用できることは勿論である。
【００４１】
また、本発明のポンプの振動伝達防止構造に係わる電磁式ポンプ６は、ダイヤフラムを電磁駆動手段により振動させて流体を吐出するポンプを例にして説明したが、ポンプはこれに限らすロータリー式のポンプであってもよい。
【００４２】
さらに、電磁式ポンプ６により吐出される流体は圧縮空気からなる気体を例にしたが、これに限らず流体が液体の場合であってもよいことは勿論である。
【００４３】
以上説明した発明の実施の形態のポンプの振動伝達防止構造は、ポンプ（６）の流体吐出口（２１）から吐出される流体を他の機能部品（７）に案内する流体案内管（３８）が設けられ、前記流体案内管（３８）の一部の肉厚（ｔ）を他の部分（３８ｂ）の肉厚（Ｔ）より部分的に薄く形成した振動吸収部（３９）が前記流体案内管（３８）に設けられている。
【００４４】
この構成によれば、ポンプ（６）から他の機能部品（７）へ流体を搬送する流体案内管（３８）に、この流体案内管（３８）の一部の肉厚（ｔ）が他の部分（３８ｂ）の肉厚（Ｔ）よりも薄い振動吸収部（３９）を部分的に設け、ポンプ（６）からの振動を振動吸収部（３９）により吸収できるので、ポンプ（６）の振動が流体案内管（３８）を介して他の機能部品（７）に伝達する現象及びこれに起因する騒音の発生を防止することができる。
【００４５】
また、この発明の実施の形態のポンプの振動伝達防止構造は、前記流体案内管（３８）には前記振動吸収部（３９）が複数設けられている。
【００４６】
この構成によれば、流体案内管（３８）に複数の振動吸収部（３９）を設けたので、流体案内管（３８）から伝達される振動をより確実に減衰させて、他の機能部品（７）への振動の伝達及びこれに起因する騒音の発生を防止することができる。
【００４７】
また、この発明の実施の形態のポンプの振動伝達防止構造は、前記流体案内管（３８）の振動吸収部（３９）は、前記流体案内管（３８）の内径（ｄ）を一定にすると共に前記流体案内管（３８）の一部の外径（Ｄ１）を流体案内管（３８）の他の部分の外径（Ｄ）よりも部分的に小さくすることにより形成されている。
【００４８】
この構成によれば、流体案内管（３８）に振動吸収部（３９）を形成しても、内径（ｄ）が一定であることから、圧縮空気が排気通路（２３）を流れる動作に支障を生じないようにすることができる。
【００４９】
また、この発明の実施の形態のポンプの振動伝達防止構造は、前記ポンプ（６）を覆うポンプカバー（１１）内に前記振動吸収部（３９）が配設されている。
【００５０】
この構成によれば、振動吸収部（３９）をポンプカバー（１１）内に設けることで、流体案内管（３８）の振動吸収部（３９）における振動の減衰時に生じる振動音が外部に漏れるのを防止することができて、消音効果を実現することができると共に、ポンプカバー（１１）への振動を抑制し、ポンプカバー（１１）が振動により騒音を発生することを防止できる。
【図面の簡単な説明】
【００５１】
【図１】本発明に係わるポンプの振動伝達防止構造が適用されているエアーマッサージ装置の斜視図である。
【図２】エアー供給制御ユニットの縦断正面図である。
【図３】図２におけるＡ−Ａ線断面の平面図である。
【図４】流体案内管の詳細を示す縦断側面図である。
【図５】本発明の実施例２に係わるエアー供給ホースの詳細を示す縦断側面図である。
【図６】本発明の実施例３に係わるエアー供給ホースの詳細を示す縦断側面図である。
【図７】従来のエアー供給ホースが適用されているエアー供給制御ユニットの縦断正面図である。
【図８】図７におけるＢ−Ｂ線断面の平面図である。
【図９】従来のエアー供給ホースの詳細を示す縦断側面図である。
【図１０】従来の他のエアー供給ホースの詳細を示す縦断側面図である。
【符号の説明】
【００５２】
ｔ              エアー供給ホース（流体案内管）の振動吸収部の肉厚
Ｔ              エアー供給ホースの振動吸収部以外の他の部分の肉厚
ｄ              エアー供給ホースの内径
Ｄ              エアー供給ホースの振動吸収部以外の外径
Ｄ１            流体案内管の一部（振動吸収部）の外径
６              電磁式ポンプ（ポンプ）
１１            ポンプカバー
２１            穴（流体吐出口）
３２            エアー供給制御ユニット
３８            エアー供給ホース（流体案内管）
３８ｂ          エアー供給ホースの振動吸収部以外の他の部分
３９            振動吸収部
【図１】
2006046278.tif 000003
【図２】
2006046278.tif 000004
【図３】
2006046278.tif 000005
【図４】
2006046278.tif 000006
【図５】
2006046278.tif 000007
【図６】
2006046278.tif 000008
【図７】
2006046278.tif 000009
【図８】
2006046278.tif 000010
【図９】
2006046278.tif 000011
【図１０】
2006046278.tif 000012